(57)【要約】【課題】本発明は、内部に収納した食品を簡単に取り出すことができる食品包装用袋を提供する。【解決手段】本発明の食品包装用袋は、表裏フィルム１、２を重ね合わせて、これら表裏フィルム１、２の下側縁部を除く上端部と両側縁部同士を所定幅でもって引き剥がし可能に熱融着一体化３１、３２すると共に、上記互いに熱融着一体化した上端部から上方に突出する表裏フィルムの突出端部を表裏摘まみ片４１、４２に形成し、表裏フィルム１、２の対向内面間に下端が開口した食品を収納するための収納空間部Ａ１を形成しているので、収納空間部内に収納した食品を取り出すにあたっては、表裏摘まみ片４１、４２を把持して互いに離間する方向に引っ張り、表裏フィルム１、２をその熱融着部３１、３２から分離させることによって収納空間部Ａ１を開放させて該収納空間部Ａ１内に収納した食品を簡単に且つ確実に取り出すことができる。【選択図】    図１
2005008237.tif 000002
【特許請求の範囲】
【請求項１】
表裏フィルムを重ね合わせて、これら表裏フィルムの下側縁部を除く上端部と両側縁部同士を所定幅でもって引き剥がし可能に熱融着一体化すると共に、上記互いに熱融着一体化した上端部から上方に突出する表裏フィルムの突出端部を表裏摘まみ片に形成し、表裏フィルムの対向内面間に下端が開口した食品を収納するための収納空間部を形成していることを特徴とする食品包装用袋。
【請求項２】
表裏摘まみ片の対向する両側端部の下部に、下端が収納空間部を形成している熱融着部に連続した引き剥がし可能な短片状熱融着部を形成していることを特徴とする請求項１に記載の食品包装用袋。
【請求項３】
短片状熱融着部の下端が、上端熱融着部の両側端部を介して両側熱融着部の上端に連続していることを特徴とする請求項２に記載の食品包装用袋。
【請求項４】
短片状熱融着部の先端部が先端になるにしたがって幅狭くなるように構成していることを特徴とする請求項２又は請求項３に記載の食品包装用袋。
【発明の詳細な説明】
【０００１】
【発明の属する技術分野】
本発明は、収納空間部内に収納した食品を簡単に取り出すことができる食品包装用袋に関する。
【０００２】
【従来の技術】
今日、コンビニエンスストアーなどにおいてサンドイッチが販売されているが、このサンドイッチの包装用袋としては、特許文献１に、二枚の截頭三角形状シートを重ね合わせてこれらのシートの両側縁部を連設すると共に先細端部を熱融着することにより広幅側が開口した袋体を形成し、更に、先細端部の熱融着による封止部から両シートの先端部を突出させて突片部に形成すると共にこの表側突片部に二条の切断線を設けて開封開始突片部を形成してなるサンドイッチ用包装袋が提案されている。
【０００３】
そして、上記サンドイッチ用包装袋内に収納したサンドイッチを取り出すにあたっては、サンドイッチ用包装袋の表側突片部に形成した開封開始突片部を広幅側に向かって引っ張ることによって表側フィルムを二分割し、この分割部からサンドイッチを取り出すようにしている。
【０００４】
しかしながら、上記サンドイッチ用包装袋の表側フィルムを開封開始突片部を引っ張ることによって二分割しているものの、表側フィルムは、その幅方向の中央部において、開封開始突片部と略同一幅でもって帯状に切除されているにすぎず、サンドイッチを取り出すにあたっては、表側フィルムをその分割部分から両側に向かって拡げる必要があり面倒であると共に、表側フィルムを両側に向かって拡げる際にサンドイッチが型崩れするといった問題点があった。
【０００５】
【特許文献１】
実公平２−３２５８７号公報（特許請求の範囲）
【０００６】
【発明が解決しようとする課題】
本発明は、内部に収納した食品を簡単に取り出すことができる食品包装用袋を提供する。
【０００７】
【課題を解決するための手段】
請求項１に記載の食品包装用袋は、表裏フィルムを重ね合わせて、これら表裏フィルムの下側縁部を除く上端部と両側縁部同士を所定幅でもって引き剥がし可能に熱融着一体化すると共に、上記互いに熱融着した上端部から上方に突出する表裏フィルムの突出端部を表裏摘まみ片に形成し、表裏フィルムの対向内面間に下端が開口した食品を収納するための収納空間部を形成していることを特徴とする。
【０００８】
又、請求項２に記載の食品包装用袋は、請求項１に記載の食品包装用袋において、表裏摘まみ片の対向する両側端部の下部に、下端が収納空間部を形成している熱融着部に連続した引き剥がし可能な短片状熱融着部を形成していることを特徴とする。
【０００９】
更に、請求項３に記載の食品包装用袋は、請求項１又は請求項２に記載の食品包装用袋において、短片状熱融着部の先端部が先端になるにしたがって幅狭くなるように構成していることを特徴とする。
【００１０】
【作用】
本発明の食品包装用袋は、その表裏フィルムの下側縁部を除く上端部と両側縁部同士を所定幅でもって引き剥がし可能に熱融着一体化していることから、収納空間部内に収納している食品を取り出すにあたっては、表裏フィルム同士を熱融着部から互いに分離させることによって収納空間部を開放し、この収納空間部内に収納している食品を簡単に且つ確実に取り出すことができる。
【００１１】
【発明の実施の形態】
本発明の食品包装用袋の一例を図面を参照しつつ説明する。先ず、食品包装用袋をサンドイッチ包装用袋として用いる場合について説明する。サンドイッチ包装用袋Ａは、図１乃至図４に示したように、上端から下端に向かって幅広く形成されている正面略截頭三角形状の表裏フィルム１、２を重ね合わせ、これら表裏フィルム１、２の上端縁から所定長さだけ下方に位置した部分において、表裏フィルム１、２同士をその全長に亘って水平方向に一定幅でもって引き剥がし可能に熱融着一体化（上端熱融着部）３１していると共に、上記表裏フィルム１、２の対向する両側縁部同士を一定幅でもって引き剥がし可能に熱融着一体化（両側熱融着部）３２、３２しており、この両側熱融着部３２、３２の上端は上記上端熱融着部３１の両側端部に連続した状態に形成されている。
【００１２】
そして、上記上端熱融着部３１及び両側熱融着部３２、３２によって囲まれた表裏フィルム１、２の対向内面間には、下端が開口Ａ１１  したサンドイッチＢを収納可能な収納空間部Ａ１が形成されていると共に、上端熱融着部３１から上方に突出した表裏フィルム１、２部分を表裏摘まみ片４１、４２に形成している。なお、裏側摘まみ片４２を表側摘まみ片４１の上端縁から上方に向かって所定長さだけ突出させている。
【００１３】
更に、図１及び図４に示したように、上記表裏摘まみ片４１、４２の対向する両側端部の下部には、表裏摘まみ片４１、４２の両側端部同士を所定幅でもって引き剥がし可能に熱融着一体化させることによって短片状熱融着部５１、５１が形成されており、この短片状熱融着部５１、５１は、その下端が上記上端熱融着部３１の両側端部を介して両側熱融着部３２、３２の上端に連続している一方、上端は、表裏摘まみ片４１、４２の上端縁に達することなく表側摘まみ片４１の上下方向の中央部で絶たれた状態に形成されている。なお、短片状熱融着部５１、５１は、その長さ方向を両側熱融着部３２、３２の長さ方向に合致させた状態に形成されている。
【００１４】
又、上記短片状熱融着部５１、５１の先端部（上端部）５１ａ  、５１ａ  は、その内側縁部５１ｂ  、５１ｂ  を上方における斜め外方に向かって傾斜させることによって、先端（上端）になるにしたがって徐々に幅狭くなるように形成されている。
【００１５】
従って、表裏摘まみ片４１、４２は、その下部において、両側端部に形成された短片状熱融着部５１、５１によって引き剥がし可能に一体化されている一方、短片状熱融着部５１、５１の上端よりも上方部分は表裏摘まみ片４１、４２同士が常態において互いに分離可能に構成されている。
【００１６】
次に、上記サンドイッチ包装用袋Ａの使用要領について説明する。先ず、サンドイッチ包装用袋Ａの収納空間部Ａ１内にその下端開口部Ａ１１  を通じて側面直角三角形状のサンドイッチＢを挿入した上で収納空間部Ａ１の下端開口部Ａ１１  を閉止してサンドイッチ包装用袋Ａ内にサンドイッチＢを収納する（図５参照）。
【００１７】
そして、サンドイッチ包装用袋Ａ内のサンドイッチＢを食する場合には、サンドイッチ包装用袋Ａの表裏摘まみ片４１、４２の上端部をそれぞれ、別々の手で把持して、表裏摘まみ片４１、４２を互いに離間する方向に引っ張る。
【００１８】
この時、表裏摘まみ片４１、４２の上端部は、その両側端部同士が互いに熱融着一体化されることなく分離した状態となっていることから、表裏摘まみ片４１、４２を簡単に且つ確実に分離させた状態にして、表裏摘まみ片４１、４２をそれぞれ別々の手で円滑に把持することができる。
【００１９】
すると、表裏摘まみ片４１、４２の短片状熱融着部５１、５１の先端部５１ａ  、５１ａ  は、先端になるにしたがって徐々に幅狭くなるように形成されていることから、表裏摘まみ片４１、４２同士を引き剥がすための初期の引き剥がし力は小さくてよく、よって、表裏摘まみ片４１、４２の引き剥がしの初期動作を円滑に開始することができる。
【００２０】
そして、短片状熱融着部５１、５１は、下方になるにしたがって徐々に幅広くなっており表裏摘まみ片４１、４２同士を引き剥がすための引き剥がし力も大きくなるものの、短片状熱融着部５１、５１は、その先端（上端）側の引き剥がし力の小さな部分５１ａ  、５１ａ  を引き剥がし起端として徐々に引き剥がされて分離されることから、表裏摘まみ片４１、４２を短片状熱融着部５１、５１の熱融着力に抗して円滑に分離することができる。
【００２１】
しかも、短片状熱融着部５１、５１は表裏摘まみ片４１、４２の両側端部に表裏フィルム１、２の左右方向の中央部を中心にして線対称状に形成されていることから、表裏摘まみ片４１、４２を互いに離間する方向に引き剥がすに際し、両側短片状熱融着部５１、５１には同程度の引き剥がし力が略同時に加えられて上端から下端に向かって同程度づつ徐々に引き剥がされる。
【００２２】
従って、サンドイッチＢを収納したサンドイッチ包装用袋Ａが左右方向に必要以上に揺れたりすることなく安定した状態を維持しつつ、表裏摘まみ片４１、４２を互いに離間する方向に引き剥がすことができる。
【００２３】
そして、表裏摘まみ片４１、４２の両側短片状熱融着部５１、５１は、上方から下方に向かって同程度づつ引き剥がされると共に下端が上端熱融着部３１の両側端部に連続していることから、表裏摘まみ片４１、４２の両側短片状熱融着部５１、５１を完全に引き剥がした後に、表裏摘まみ片４１、４２に加えている引き剥がし力を途切れさせることなく上端熱融着部３１にその全長に亘って連続的に且つ略均一に加えることができる（図６参照）。
【００２４】
従って、表裏摘まみ片４１、４２を互いに離間する方向に更に引っ張ると、上端熱融着部３１には、その全長に亘って略均一に上端から下端に向かって引き剥がし力が加えられ、表裏フィルム１、２は、その上端熱融着部３１において、上端から下端に向かって徐々に引き剥がされて分離される。
【００２５】
そして、表裏フィルム１、２の上端熱融着部３１が完全に引き剥がされて、上端熱融着部３１における表裏フィルム１、２が完全に分離した後、表裏摘まみ片４１、４２を互いに離間する方向に更に引っ張ることによって、上端熱融着部３１の両側端部に連続している両側熱融着部３２、３２に引き剥がし力を途切れることなく加えることができ、表裏フィルム１、２を両側熱融着部３２、３２においても上端から下端に向かって徐々に円滑に引き剥がして分離させることができる。
【００２６】
このように、表裏摘まみ片４１、４２をそれぞれ把持して互いに離間する方向に引っ張ることによって、表裏フィルム１、２をその両側短片状熱融着部５１、５１、上端熱融着部３１、両側熱融着部３２、３２において順番に円滑に且つ確実に分離させて収納空間部Ａ１を全面的に開放させた状態とし、この収納空間部Ａ１内に収納したサンドイッチＢを型崩れさせることなく円滑に取り出すことができる（図７参照）。
【００２７】
上記ではサンドイッチ包装用袋Ａを説明したが、本発明の食品包装用袋Ａは、おにぎりの包装用に用いられてもよく、おにぎり包装用袋Ｃを下記に説明する。おにぎり包装用袋Ｃは、図８乃至図１１に示したように、正面略半円形状で且つ上端に正面長方形状の突片６１、７１が上方に向かって突設されてなる表裏フィルム６、７を重ね合わせ、これら表裏フィルム６、７の突片６１、７１の対向する基端部同士を全長に亘って水平方向に一定幅でもって引き剥がし可能に熱融着一体化（上端熱融着部）８１していると共に、上記表裏フィルム６、７の対向する両側縁部同士を一定幅でもって引き剥がし可能に熱融着一体化（両側熱融着部）９１、９１しており、この両側熱融着部９１、９１の上端は上記上端熱融着部８１の両側端部に連続した状態に形成されている。
【００２８】
そして、上記上端熱融着部８１及び両側熱融着部９１、９１によって囲まれた表裏フィルム６、７の対向内面間には、下端が開口Ｃ１１  したおにぎりＤを収納可能な収納空間部Ｃ１が形成されていると共に、上端熱融着部８１から上方に突出した突片６１、７１を表裏摘まみ片１０、１１に形成している。なお、裏側摘まみ片１１を表側摘まみ片１０の上端縁から上方に向かって所定長さだけ突出させている。
【００２９】
更に、上記表裏摘まみ片１０、１１の対向する両側端部の下部には、表裏摘まみ片１０、１１の両側端部同士を所定幅でもって引き剥がし可能に熱融着一体化させることによって短片状熱融着部１２、１２が形成されており、この短片状熱融着部１２、１２は、その下端が上記上端熱融着部８１の両側端部を介して両側熱融着部９１、９１の上端に連続している一方、上端は、表裏摘まみ片１０、１１の上端縁に達することなく表裏摘まみ片１０の上下方向の中央部で絶たれた状態に形成されている。
【００３０】
又、上記短片状熱融着部１２、１２の先端部（上端部）１２ａ  、１２ａ  は、その内側縁部１２ｂ  、１２ｂ  を上方における斜め外方に向かって傾斜させることによって、先端（上端）になるにしたがって徐々に幅狭くなるように形成されている。
【００３１】
従って、表裏摘まみ片１０、１１は、その下部において、両側端部に形成された短片状熱融着部１２、１２によって一体化されている一方、短片状熱融着部１２、１２の上端よりも上方部分は表裏摘まみ片１０、１１同士が常態において互いに分離可能に構成されている。
【００３２】
次に、上記おにぎり包装用袋Ｃの使用要領としては、先ず、おにぎり包装用袋Ｃの収納空間部Ｃ１内にその下端開口部Ｃ１１  を通じておにぎりＤを挿入した上で収納空間部Ｃ１の下端開口部Ｃ１１  を閉止して、おにぎり包装用袋Ｃ内におにぎりＤを収納する（図１２参照）。
【００３３】
そして、上記おにぎり包装用袋Ｃ内のおにぎりＤを食する場合には、上記サンドイッチ包装用袋Ａの場合と同様の要領で、おにぎり包装用袋Ｃの表裏摘まみ片１０、１１の上端部をそれぞれ、別々の手で把持して、表裏摘まみ片１０、１１を互いに離間する方向に引っ張ることによって、表裏フィルム６、７をその両側短片状熱融着部１２、１２、上端熱融着部８１、両側熱融着部９１、９１において順番に円滑に且つ確実に分離させて収納空間部Ｃ１を全面的に開放させた状態とし、この収納空間部Ｃ１内に収納したおにぎりＤを型崩れさせることなく円滑に取り出すことができる（図１３参照）。
【００３４】
上記おにぎり包装用袋Ｃでは、表裏フィルム６、７を正面略半円形状で且つ上端に正面長方形状の突片６１、７１が上方に向かって突設されてなるものとしたが、図１４に示したように、表裏フィルム６’、７’を上端から下端に向かって幅広く形成されている正面略截頭三角形状で且つ上端に正面長方形状の突片６１、７１が上方に向かって突設されてなるものであってよい。なお、図１４のおにぎり包装用袋Ｃ’は、表裏フィルム６’、７’を正面略截頭三角形状とし且つ表裏フィルム６’、７’の対向する両側縁部同士を一定幅でもって引き剥がし可能に直条に熱融着一体化９１’  、９１’  したこと以外は、図８のおにぎり包装用袋Ｃと同様の構成であるので同一符号を付して、その説明を省略した。図１４のおにぎり包装用袋Ｃ’は、サンドイッチＢのような側面直角三角形状のおにぎりを包装するのに適している。
【００３５】
【発明の効果】
請求項１に記載の食品包装用袋は、表裏フィルムを重ね合わせて、これら表裏フィルムの下側縁部を除く上端部と両側縁部同士を所定幅でもって引き剥がし可能に熱融着一体化すると共に、上記互いに熱融着一体化した上端部から上方に突出する表裏フィルムの突出端部を表裏摘まみ片に形成し、表裏フィルムの対向内面間に下端が開口した食品を収納するための収納空間部を形成していることを特徴とするので、収納空間部内に収納した食品を取り出すにあたっては、表裏摘まみ片を把持して互いに離間する方向に引っ張り、表裏フィルムをその熱融着部から分離させることによって収納空間部を開放させて該収納空間部内に収納した食品を簡単に且つ確実に取り出すことができる。
【００３６】
又、請求項２に記載の食品包装用袋は、請求項１に記載の食品包装用袋において、表裏摘まみ片の対向する両側端部の下部に、下端が収納空間部を形成している熱融着部に連続した引き剥がし可能な短片状熱融着部を形成していることを特徴とするので、表裏摘まみ片の短片状熱融着部を引き剥がした後に連続して収納空間部を形成している熱融着部を円滑に引き剥がすことができ、収納空間部を簡単に且つ確実に開放させて該収納空間部内の食品を円滑に取り出すことができる。
【００３７】
そして、請求項３に記載の食品包装用袋は、請求項２に記載の食品包装用袋において、短片状熱融着部の下端が、上端熱融着部の両側端部を介して両側熱融着部の上端に連続していることを特徴とするので、表裏摘まみ片の短片状熱融着部の引き剥がし作業後に連続的に上端熱融着部に円滑に引き剥がし力を加えることができ、収納空間部の開放作業を円滑に行って該収納空間部内の収納物を確実に取り出すことができる。
【００３８】
更に、請求項４に記載の食品包装用袋は、請求項２又は請求項３に記載の食品ン包装用袋において、短片状熱融着部の先端部が先端になるにしたがって幅狭くなるように構成していることを特徴とするので、短片状熱融着部の引き剥がしの開始の円滑に行うことができ、表裏摘まみ片の破損を生じさせることなく表裏摘まみ片の引き剥がし作業を円滑に行うことができる。
【図面の簡単な説明】
【図１】本発明のサンドイッチ包装用袋を示した正面図である。
【図２】図１のＩＩ−ＩＩ線断面図である。
【図３】図１のＩＩＩ  −ＩＩＩ  線断面図である。
【図４】図１のＩＶ−ＩＶ線断面図である。
【図５】図１のサンドイッチ包装用袋の使用状態を示した斜視図である。
【図６】図１のサンドイッチ包装用袋の使用状態を示した一部拡大斜視図である。
【図７】サンドイッチ包装用袋の収納空間部を開放した状態を示した斜視図である。
【図８】本発明のおにぎり包装用袋を示した正面図である。
【図９】図８のＩＸ−ＩＸ線断面図である。
【図１０】図８のＸ−Ｘ線断面図である。
【図１１】図８のＸＩ−ＸＩ線断面図である。
【図１２】おにぎり包装用袋の使用状態を示した斜視図である。
【図１３】おにぎり包装用袋の収納空間部を開放した状態を示した斜視図である。
【図１４】本発明のおにぎり包装用袋の他の一例を示した正面図である。
【符号の説明】
１  表側フィルム
２  裏側フィルム
３１  上端熱融着部
３２  両側熱融着部
４１  表側摘まみ片
４２  裏側摘まみ片
５１  短片状熱融着部
Ａ  サンドイッチ包装用袋
Ａ１  収納空間部
Ｂ  サンドイッチ
６、６’  表側フィルム
７、７’  裏側フィルム
８１  上端熱融着部
９１、９１’  両側熱融着部
１０  表側摘まみ片
１１  裏側摘まみ片
１２  短片状熱融着部
Ｃ  おにぎり包装用袋
Ｄ  おにぎり
【図１】
2005008237.tif 000003
【図２】
2005008237.tif 000004
【図３】
2005008237.tif 000005
【図４】
2005008237.tif 000006
【図５】
2005008237.tif 000007
【図６】
2005008237.tif 000008
【図７】
2005008237.tif 000009
【図８】
2005008237.tif 000010
【図９】
2005008237.tif 000011
【図１０】
2005008237.tif 000012
【図１１】
2005008237.tif 000013
【図１２】
2005008237.tif 000014
【図１３】
2005008237.tif 000015
【図１４】
2005008237.tif 000016